(57)【要約】【課題】浴槽内の湯水の温度を自動調整する自動運転を実行可能な制御手段が設けられた風呂設備の運転方法において、入浴者に対する利便性を損なわず、追焚運転時における循環ポンプのポンプ音が入浴者の不快感となるのを抑制できる風呂設備の運転方法、及び、その風呂設備に用いられる熱源機を実現する。【解決手段】循環ポンプとして回転速度可変型のポンプが採用され、制御手段が、追焚運転スイッチがＯＮ操作されて追焚運転を行う際には、循環ポンプを第１追焚回転速度で運転させて追焚運転を行い、自動運転による制御として追焚運転を行う際には、循環ポンプを前記第１追焚回転速度より低減した第２追焚回転速度で運転させて追焚運転を行う。【選択図】図２
2010071526.tif 000002
【特許請求の範囲】
【請求項１】
熱交換器を備えた熱源機と浴槽との間に湯水の循環路を備え、前記循環路に備えられる循環ポンプにより、前記熱交換器にて加熱された湯水が往き路を介して前記浴槽に供給されるとともに、前記浴槽から戻り路を介して前記熱交換器に戻されるように構成され、
前記浴槽内の湯水の温度が設定された目標温度となるように、前記浴槽内の湯水の温度を自動調整する自動運転を実行可能な制御手段を設け、
さらに、追焚運転スイッチがＯＮ操作された時点の前記浴槽内の湯水の温度が、前記目標温度より低い場合に前記循環ポンプを運転させて追焚運転を行う前記追焚運転スイッチを備えた風呂設備の運転方法であって、
前記循環ポンプとして回転速度可変型のポンプが採用され、
前記制御手段が、前記追焚運転スイッチがＯＮ操作されて追焚運転を行う際には、前記循環ポンプを第１追焚回転速度で運転させて追焚運転を行い、前記自動運転による制御として追焚運転を行う際には、前記循環ポンプを前記第１追焚回転速度より低減した第２追焚回転速度で運転させて追焚運転を行う風呂設備の運転方法。
【請求項２】
前記浴槽内に入浴者が存在する入水中であるか前記浴槽内に入浴者が存在しない非入水中であるかを検出する入水検出手段が設けられ、
前記制御手段が、前記入水検出手段により非入水中であると検出される場合には、前記自動運転による制御として追焚運転を行う際にも、前記循環ポンプを前記第１追焚回転速度で運転させて追焚運転を行う請求項１記載の風呂設備の運転方法。
【請求項３】
熱交換器を備え、前記熱交換器と浴槽との間に湯水の循環路を形成可能に構成されるとともに、形成された前記循環路に備えられる循環ポンプにより、前記熱交換器にて加熱された湯水が往き路を介して前記浴槽に供給されるとともに、前記浴槽から戻り路を介して前記熱交換器に戻されるように構成され、
前記浴槽内の湯水の温度が設定された目標温度となるように、前記浴槽内の湯水の温度を自動調整する自動運転を実行可能な制御手段を設け、
さらに、追焚運転スイッチがＯＮ操作された時点の前記浴槽内の湯水の温度が、前記目標温度より低い場合に前記循環ポンプを運転させて追焚運転を行う前記追焚運転スイッチを備えた熱源機であって、
前記循環ポンプとして回転速度可変型のポンプが採用され、
前記制御手段が、前記追焚運転スイッチがＯＮ操作されて追焚運転を行う際には、前記循環ポンプを第１追焚回転速度で運転させて追焚運転を行い、前記自動運転による制御として追焚運転を行う際には、前記循環ポンプを前記第１追焚回転速度より低減した第２追焚回転速度で運転させて追焚運転を行う熱源機。
【発明の詳細な説明】
【技術分野】
【０００１】
本発明は、熱交換器を備えた熱源機と浴槽との間に湯水の循環路を備え、前記循環路に備えられる循環ポンプにより、前記熱交換器にて加熱された湯水が往き路を介して前記浴槽に供給されるとともに、前記浴槽から戻り路を介して前記熱交換器に戻されるように構成され、前記浴槽内の湯水の温度が設定された目標温度となるように、前記浴槽内の湯水の温度を自動調整する自動運転を実行可能な制御手段を設け、さらに、追焚運転スイッチがＯＮ操作された時点の前記浴槽内の湯水の温度が、前記目標温度より低い場合に前記循環ポンプを運転させて追焚運転を行う前記追焚運転スイッチを備えた風呂設備の運転方法、及び、その風呂設備に用いられる熱源機に関する。
【背景技術】
【０００２】
浴槽内の湯水の温度が設定された目標温度となるように、浴槽内の湯水の温度を自動調整する自動運転を実行可能な風呂設備においては、所定の設定時間が経過するごとに、循環路に設けた循環ポンプを一定時間作動させ、同じく循環路に設けたサーミスタで正確な温度を検出するように構成される。浴槽内の湯水には層内温度差が生じている可能性があるため、正確な湯水の温度を検出するためには浴槽内の湯水を充分に攪拌することが望ましい。そのため、浴槽内の湯水の温度を検出する際、循環ポンプを数十秒から数分間作動させた後に温度の検出を行い、検出された湯水の温度が設定された目標温度より低い場合に引き続き循環ポンプを運転させて追焚運転を行うことになる（例えば、特許文献１を参照）。
【０００３】
【特許文献１】特開２００４−２７８９７９号公報
【発明の開示】
【発明が解決しようとする課題】
【０００４】
上記特許文献１に記載されているような風呂設備では、自動運転において、浴槽内の湯水の温度が設定された目標温度より低い場合には循環ポンプを作動させた状態で追焚運転を行う。この循環ポンプの作動は入浴者の意図にかかわらず自動的に行われるため、循環ポンプ作動時に生じるポンプ音が入浴者に不快感を与えることがあった。
ポンプ音を低減するために回転速度を下げることが対策の一つとして考えられる。しかし、従来は循環ポンプとしてその回転速度が一定である定回転速度型のものが採用されていたため、ポンプ音を低減するために回転速度を下げると、循環路にて循環される湯水の流量が少なくなる。よって、追焚運転スイッチがＯＮ操作されることによって追焚運転を行ったときに、浴槽内の湯水の温度を目標温度まで上げるのに要する時間が長くなり、入浴者に対する利便性を低下させてしまうという問題があった。
【０００５】
本発明は上記問題点に鑑みてなされたものであり、その目的は、浴槽内の湯水の温度を自動調整する自動運転を実行可能な制御手段が設けられた風呂設備の運転方法において、入浴者に対する利便性を損なわず、追焚運転時における循環ポンプのポンプ音が入浴者の不快感となるのを抑制できる風呂設備の運転方法、及び、その風呂設備に用いられる熱源機を実現することにある。
【課題を解決するための手段】
【０００６】
本発明に係る、熱交換器を備えた熱源機と浴槽との間に湯水の循環路を備え、前記循環路に備えられる循環ポンプにより、前記熱交換器にて加熱された湯水が往き路を介して前記浴槽に供給されるとともに、前記浴槽から戻り路を介して前記熱交換器に戻されるように構成され、
前記浴槽内の湯水の温度が設定された目標温度となるように、前記浴槽内の湯水の温度を自動調整する自動運転を実行可能な制御手段を設け、
さらに、追焚運転スイッチがＯＮ操作された時点の前記浴槽内の湯水の温度が、前記目標温度より低い場合に前記循環ポンプを運転させて追焚運転を行う前記追焚運転スイッチを備えた風呂設備の運転方法の特徴構成は、
前記循環ポンプとして回転速度可変型のポンプが採用され、
前記制御手段が、前記追焚運転スイッチがＯＮ操作されて追焚運転を行う際には、前記循環ポンプを第１追焚回転速度で運転させて追焚運転を行い、前記自動運転による制御として追焚運転を行う際には、前記循環ポンプを前記第１追焚回転速度より低減した第２追焚回転速度で運転させて追焚運転を行う点にある。
【０００７】
本特徴構成によれば、入浴者による追焚運転スイッチのＯＮ操作により、入浴者が意図して追焚運転を行う場合には、循環ポンプを第２追焚回転速度より高速の第１追焚回転速度で運転させて追焚運転を行うので、循環ポンプのポンプ音を低減することよりも、浴槽内の湯水の温度を目標温度まで速やかに上げることを優先することができる。一方、入浴者による追焚運転スイッチのＯＮ操作がされずに、入浴者の意思とは無関係に自動運転による制御として追焚運転を行う場合には、循環ポンプを第１追焚回転速度よりも低速の第２追焚回転速度で運転させて追焚運転を行うので、浴槽内の湯水の温度を目標温度まで速やかに上げることよりも、循環ポンプのポンプ音が入浴者に不快感を与えないことを優先することができる。
従って、本特徴構成によれば、入浴者の追焚運転に対する意思に応じて循環ポンプの回転速度を変えることができ、入浴者に対する利便性を損なわず、追焚運転時における循環ポンプのポンプ音が入浴者の不快感となるのを抑制できる。
【０００８】
本発明に係る風呂設備の運転方法において、
前記浴槽内に入浴者が存在する入水中であるか前記浴槽内に入浴者が存在しない非入水中であるかを検出する入水検出手段が設けられ、
前記制御手段が、前記入水検出手段により非入水中であると検出される場合には、前記自動運転による制御として追焚運転を行う際にも、前記循環ポンプを前記第１追焚回転速度で運転させて追焚運転を行うことが好ましい。
【０００９】
本構成によれば、浴槽内に入浴者が存在する入水中であるか浴槽内に入浴者が存在しない非入水中であるかを検出する入水検出手段が設けられ、制御手段が、入水検出手段により非入水中であると検出される場合には、自動運転による制御として追焚運転を行う際にも、循環ポンプを第１追焚回転速度で運転させて追焚運転を行うため、入浴者の利便性を高めることができる。
すなわち、循環ポンプ作動時のポンプ音が入浴者に与える不快感は、入浴者が入水中の時に最も大きくなるため、入水中ではない非入水中の場合には、自動運転による制御として追焚運転を行う場合であっても、制御手段は、浴槽内の湯水の温度を設定された目標温度まで速やかに上げることを、ポンプ音を低減させることよりも優先する。このため、入浴者が浴槽内に存在しない非入水中である場合には、浴槽内の湯水の温度を速やかに目標温度まで上げることができ、入浴者の利便性を高めることができる。
【００１０】
本発明に係る風呂設備の運転方法で用いられる熱源機は、以下の構成となる。
熱交換器を備え、前記熱交換器と浴槽との間に湯水の循環路を形成可能に構成されるとともに、形成された前記循環路に備えられる循環ポンプにより、前記熱交換器にて加熱された湯水が往き路を介して前記浴槽に供給されるとともに、前記浴槽から戻り路を介して前記熱交換器に戻されるように構成され、
前記浴槽内の湯水の温度が設定された目標温度となるように、前記浴槽内の湯水の温度を自動調整する自動運転を実行可能な制御手段を設け、
さらに、追焚運転スイッチがＯＮ操作された時点の前記浴槽内の湯水の温度が、前記目標温度より低い場合に前記循環ポンプを運転させて追焚運転を行う前記追焚運転スイッチを備えた熱源機であって、
前記循環ポンプとして回転速度可変型のポンプが採用され、
前記制御手段が、前記追焚運転スイッチがＯＮ操作されて追焚運転を行う際には、前記循環ポンプを第１追焚回転速度で運転させて追焚運転を行い、前記自動運転による制御として追焚運転を行う際には、前記循環ポンプを前記第１追焚回転速度より低減した第２追焚回転速度で運転させて追焚運転を行う。
【発明を実施するための最良の形態】
【００１１】
以下、本発明の実施の形態を図１〜図２に基づいて説明する。なお、本発明は以下に説明する実施形態や図面に記載される構成に限定されるものではなく、同様の作用効果を奏する構成であれば種々の改変が可能である。
本発明に係る風呂設備の運転方法を実施するための風呂設備は、熱交換器を備えた熱源機Ｄと、その熱源機Ｄにて加熱された湯水を熱源機Ｄと浴槽５との間で循環させるための循環路Ｊ等を備えて構成されている。ここで、熱源機Ｄが、本発明に係る風呂設備に用いられる熱源機となる。
【００１２】
〔基本構成〕
図１に示すように、熱源機Ｄは、一般家庭用の水道管に接続された給水路１からの水をガス燃焼式のバーナｇ１によって加熱して、加熱後の湯水を先端に給湯栓２を備えた給湯路３に供給する給湯用動作部Ａ、浴槽５内の湯水をガス燃焼式のバーナｇ２によって加熱して追焚きする追焚用動作部Ｂ、熱源機Ｄの運転を制御する制御手段としての運転制御部Ｈ１、メインリモコンＲ１、及び、浴室リモコンＲ２等を備えて構成されている。メインリモコンＲ１は炊事場の近く等に設けられ、浴室リモコンＲ２は浴室内に設けられる。
【００１３】
給湯用動作部Ａ及び追焚用動作部Ｂについて説明を加える。
給湯用動作部Ａ及び追焚用動作部Ｂはいずれも、湯水加熱用の主熱交換器Ｎ１、及び、潜熱回収式の熱交換器（以下、潜熱回収熱交換器と記載する場合がある）Ｎ２を備えて構成される。つまり、本実施形態においては、熱交換器は、主熱交換器Ｎ１と潜熱回収熱交換器Ｎ２とから構成されている。それら主熱交換器Ｎ１及び潜熱回収熱交換器Ｎ２は、バーナｇ１，ｇ２から排気路７に向かう燃焼排ガス流動方向において潜熱回収熱交換器Ｎ２が下手側に位置する状態で、その燃焼排ガス流動方向に沿って並べて設けられている。
そして、潜熱回収熱交換器Ｎ２にて、主として各バーナｇ１，ｇ２の燃焼排ガスの潜熱により湯水を加熱し、主熱交換器Ｎ１にて、主として各バーナｇ１，ｇ２の燃焼排ガスの顕熱により、潜熱回収熱交換器Ｎ２にて加熱された湯水を加熱するように構成されている。
【００１４】
各潜熱回収熱交換器Ｎ２からは、燃焼生成水である酸性の凝縮水であるドレンが生成するが、このドレンはドレンパン８によって集められて中和器９に供給され、その中和器９にて中和されたのち、ドレンタンク６に貯留されるように構成されている。この中和器９は、詳述はしないが、ドレンに対して中和作用する中和剤（例えば、炭酸カルシウム）が装填されている。ドレンタンク６に貯留されたドレンは、所定の時期に排出される構成となっている。
【００１５】
給湯用動作部Ａ及び追焚用動作部Ｂには、各バーナｇ１，ｇ２に一般家庭用の燃料ガスを供給するガス供給路Ｇが接続され、そのガス供給路Ｇには、燃料ガス供給量を調整する電磁式のガス比例弁１０、燃料ガスの供給を断続する断続弁１１が設けられている。又、給湯用動作部Ａ及び追焚用動作部Ｂには、各バーナｇ１，ｇ２に燃焼用空気を供給する燃焼用ファン１２が設けられ、更に、図示を省略するが、各バーナｇ１，ｇ２の近くには、点火動作を実行する点火用のイグナイタと着火されたか否かを検出するフレームロッドが設けられている。
【００１６】
給水路１が給湯用動作部Ａにおける潜熱回収熱交換器Ｎ２の湯水入口部に接続され、給湯路３が給湯用動作部Ａにおける主熱交換器Ｎ１の湯水出口部に接続されて、給水路１を通して供給される水が潜熱回収熱交換器Ｎ２及び主熱交換器Ｎ１にて加熱されて給湯路３を通して給湯栓２に供給されるように構成されている。
【００１７】
給水路１には、給水温度を検出する給水サ−ミスタ１３と給水量を検出する水量センサ１４とが設けられ、給水路１における給水サ−ミスタ１３及び水量センサ１４よりも下流側の箇所と給湯路３とが、熱交換器Ｎ１，Ｎ２を迂回するように給水バイパス路１５にて接続されている。
給湯路３と給水バイパス路１５との接続箇所には、主熱交換器Ｎ１からの湯量と給水バイパス路１５からの水量との混合比を調整するミキシング弁１７が設けられ、給湯路３における給水バイパス路１５の接続箇所よりも上流側には、主熱交換器Ｎ１から送出される湯水の温度を検出する出湯サーミスタ１６が設けられ、給湯路３における給水バイパス路１５の接続箇所よりも下流側には、上流側から順に、ミキシング弁１７により混合された後の湯水の温度を検出する給湯サ−ミスタ１８、湯水の量を調整する水比例弁１９、一般給湯の割込みを検出する割込み水量センサ２０が設けられている。
【００１８】
浴槽５に装備された循環アダプタ２５と追焚用動作部Ｂにおける潜熱回収熱交換器Ｎ２の湯水入口部とが戻り路としての浴槽用戻り路２３にて接続され、その循環アダプタ２５と追焚用動作部Ｂにおける主熱交換器Ｎ１の湯水出口部とが往き路としての浴槽用往き路２４により接続され、浴槽用戻り路２３と浴槽用往き路２４とが浴槽５内の湯水を循環させるための循環路Ｊとして構成されている。更に、その浴槽用戻り路２３に、浴槽５内の湯水を吸引して追焚用動作部Ｂの潜熱回収熱交換器Ｎ２に送出するように追焚用循環ポンプ２６（循環ポンプの一例）が設けられている。本願においては、この追焚用循環ポンプ２６として回転速度可変型のポンプを採用している。
そして、追焚用循環ポンプ２６の通流作用により、浴槽５内の湯水が、浴槽用往き路２４及び浴槽用戻り路２３を通して潜熱回収熱交換器Ｎ２及び主熱交換器Ｎ１と浴槽５とにわたって循環されることになり、潜熱回収熱交換器Ｎ２及び主熱交換器Ｎ１にて加熱された湯水が浴槽５に循環供給されるように構成されている。
【００１９】
浴槽用戻り路２３には、上流側から順に、圧力を検出することによって浴槽５内の水位を検出する入水検出手段としての水位センサ２７、浴槽５から取り出される湯水の温度、即ち、浴槽５内の湯水の温度を検出する浴槽戻り温サ−ミスタ２８、追焚用循環ポンプ２６、水流スイッチ３０が設けられ、浴槽用往き路２４には、浴槽５に供給される湯水の温度を検出する浴槽往き温サ−ミスタ３１が設けられている。
【００２０】
給湯路３における水比例弁１９と割込み水量センサ２０との間の箇所から、給湯路３からの湯水を浴槽５に供給するための湯張り路２２が分岐されて、その湯張り路２２が、浴槽用戻り路２３における追焚用循環ポンプ２６と浴槽戻り温サ−ミスタ２８との間の箇所に接続されている。この湯張り路２２には、上流側から順に、湯張り路２２を開閉する湯張り電磁弁３２と、湯張り逆止弁３３とが設けられており、湯張り電磁弁３２と湯張り逆止弁３３との間の箇所には、空気層形成用ホッパ３４が介装されている。
【００２１】
そして、湯張り電磁弁３２を開弁すると、給湯用動作部Ａにて加熱されて湯張り路２２を通して供給される湯水が浴槽用戻り路２３を浴槽５側と追焚用動作部Ｂの潜熱回収熱交換器Ｎ２側の両側に通流して、湯張り路２３を通して供給される湯水が浴槽用往き路２４及び浴槽用戻り路２３の両方を通して浴槽５に供給されることになる。
【００２２】
〔動作制御〕
次に、運転制御部Ｈ１の制御動作について説明する。
この運転制御部Ｈ１は、メインリモコンＲ１及び浴室リモコンＲ２夫々と通信可能に構成されている。
図１に示すように、メインリモコンＲ１及び浴室リモコンＲ２（但し、メインリモコンＲ１についてのみ図示）には、運転の開始と停止を指令する運転スイッチ３７、風呂自動運転を指令する風呂自動スイッチ３８、一般給湯温度を設定する給湯温度設定スイッチ３９、浴槽５内の湯水の目標温度を設定する浴槽温度設定スイッチ４０、浴槽５内の目標水位を設定する水位設定スイッチ（図示せず）、浴槽５に追加で湯張り給湯する足し湯スイッチ４１、追焚運転を指令する追焚運転スイッチとしての追焚スイッチ４２、目標温度等の各種情報を表示する表示部（図示せず）等が設けられている。
【００２３】
運転制御部Ｈ１は、運転スイッチ３７がＯＮ操作されると制御可能な状態になり、給湯栓２が開操作されると給湯栓２から湯水を給湯する一般給湯運転を実行する。又、運転制御部Ｈ１は、風呂自動スイッチ３８がＯＮ操作されると風呂自動運転を実行し、足し湯スイッチ４１がＯＮ操作されると足し湯運転を実行し、追焚スイッチ４２がＯＮ操作されると追焚運転を実行する。さらに、この運転制御部Ｈ１は、後述するように、追焚用循環ポンプ２６の回転速度を運転状態に応じて設定可能に構成されている。
【００２４】
一般給湯運転では、運転制御部Ｈ１は、給湯栓２が開き操作されて水量センサ１４による検出水量が所定量以上になると、給湯用動作部Ａにおける燃焼用ファン１２を駆動した後、断続弁１１を開弁してイグナイタによりバーナｇ１に点火し、給湯温度設定スイッチ３９による設定温度、水量センサ１４の検出水量、給水サ−ミスタ１３の検出水温、及び、給湯サ−ミスタ１８の検出温度などに基づいて、給湯サ−ミスタ１８の検出温度が給湯温度設定スイッチ３９による設定温度になるようにガス比例弁１０の開度及びミキシング弁１７の開度を調節する。水量センサ１４により通水が検出されなくなると、断続弁１１を閉弁してバーナｇ１の燃焼を停止し、燃焼用ファン１２も停止して一般給湯運転を終了する。
【００２５】
風呂自動運転では、運転制御部Ｈ１は、先ず、湯張り運転を実行する。この湯張り運転では、湯張り電磁弁３２を開弁操作して、浴槽５への湯水の供給を開始し、上述の一般給湯運転と同様にバーナｇ１に点火し、浴槽温度設定スイッチ４０による目標温度、水量センサ１４の検出水量、給水サ−ミスタ１３の検出水温、及び、給湯サ−ミスタ１８の検出温度などに基づいて、給湯サ−ミスタ１８の検出温度が浴槽温度設定スイッチ４０による目標温度になるようにガス比例弁１０の開度及びミキシング弁１７の開度を調節し、水位センサ２７の検出水位が水位設定スイッチにて設定された目標水位以上になると、バーナｇ１の燃焼を停止して湯張り運転を終了する。
この湯張り運転では、浴槽用戻り路２３及び浴槽用往き路２４の両方を通して浴槽５に湯水が供給されることになる。
【００２６】
風呂自動運転において湯張り運転が終了すると、運転制御部Ｈ１は、浴槽５内の湯水の温度が、浴槽温度設定スイッチ４０により設定された目標温度より低いか否かを判定し、浴槽５内の湯水の温度が当該目標温度よりも低い場合に追焚運転を実行する。具体的には、運転制御部Ｈ１は、追焚用循環ポンプ２６を作動させて、浴槽５内の湯水を浴槽用戻り路２３及び浴槽用往き路２４を通して一定時間（例えば、数十秒〜数分）循環させ、浴槽５内の湯水の温度を浴槽戻り温サ−ミスタ２８により検出する。そして、浴槽戻り温サ−ミスタ２８にて検出された検出温度が、浴槽温度設定スイッチ４０により設定された目標温度以上である場合は、追焚運転を行う必要がないため、追焚用循環ポンプ２６を停止させる。一方、浴槽戻り温サ−ミスタ２８にて検出された検出温度が、浴槽温度設定スイッチ４０により設定された目標温度より低い場合には、運転制御部Ｈ１は、追焚用循環ポンプ２６を作動させたまま、追焚用動作部Ｂにおける燃焼用ファン１２を駆動した後、断続弁１１を開弁してイグナイタによりバーナｇ２に点火し、浴槽往き温サ−ミスタ３１の検出温度が追焚用設定出湯温度（例えば６０℃）になるようにガス比例弁１０の開度を調節し、追焚運転を行う。そして、浴槽戻り温サーミスタ２８の検出温度が浴槽温度設定スイッチ４０による目標温度に達すると、断続弁１１を閉弁させてバーナｇ２の燃焼を停止させ、燃焼用ファン１２及び追焚用循環ポンプ２６を停止させて追焚運転を終了する。
本実施形態においては、湯張り運転終了後に引き続いて行う上記追焚運転においては、浴槽５内の湯水の温度を設定された目標温度まで速やかに上げることができるように、後述する第１追焚回転速度で追焚用循環ポンプ２６を運転するように構成されている。なお、第１追焚回転速度より低減した後述する第２追焚回転速度や、他の回転速度に設定することも可能である。
【００２７】
このようにして、水位センサ２７の検出水位が水位設定スイッチにて設定された目標水位以上となり、且つ、浴槽戻り温サーミスタ２８の検出温度が浴槽温度設定スイッチ４０による目標温度に達すると、その後引き続いて、予め設定されているキープ運転時間の間キープ運転を実行する。キープ運転では、浴槽５内の湯水の水位が水位設定スイッチにて設定された目標水位以上になるように、且つ、浴槽５内の湯水の温度が浴槽温度設定スイッチ４０にて設定された目標温度になるように、前記湯張り運転及び追焚運転を実行する。このキープ運転状態での追焚運転時における熱源機Ｄの動作については、図２に示す制御動作のフローチャートに基づいて後に詳細に説明する。なお、このキープ運転が自動運転に相当する。
【００２８】
また、風呂自動運転とは別に、追焚スイッチ４２（追焚運転スイッチに相当する）がＯＮ操作された場合にも、浴槽５内の湯水の温度が浴槽温度設定スイッチ４０にて設定された目標温度になるように、追焚運転が行われる。この追焚スイッチ４２がＯＮ操作されたときの追焚運転時における熱源機Ｄの動作についても、図２に示す制御動作のフローチャートに基づいて後に詳細に説明する。
【００２９】
前記足し湯運転では、運転制御部Ｈ１は、水位センサ２７の検出水位が水位設定スイッチによる目標水位以上になるように湯張り運転を実行する。
【００３０】
〔追焚運転時の動作制御〕
風呂自動運転における湯張り運転、及び必要であれば湯張り運転終了後に引き続き行った追焚運転が終了後のキープ運転状態においては、設定時間（例えば数分〜数十分）が経過するごとに浴槽５内の湯水の温度を検出し、その検出した浴槽５内の湯水の温度が浴槽温度設定スイッチ４０による目標温度より低い場合に追焚運転が行われる。また、キープ運転状態にあるかどうかにかかわらず、追焚スイッチ４２がＯＮ操作された場合にも、浴槽５内の湯水の温度を検出し、その検出した浴槽５内の湯水の温度が浴槽温度設定スイッチ４０による目標温度より低い場合には追焚運転が行われる。
【００３１】
運転制御部Ｈ１の追焚運転時における制御動作を、図２に示すフローチャートに基づいて説明する。
運転制御部Ｈ１は、まず、自動運転（キープ運転）状態にあるか否かを判定する（ステップ＃０１）。自動運転（キープ運転）状態である場合（ステップ＃０１：Ｙｅｓ）、追焚用循環ポンプ２６の回転速度を、第２追焚回転速度に設定する（ステップ＃０２）。なお、第２追焚回転速度は、ポンプ音が入浴者に与える不快感を抑制できる回転速度であり、後述する第１追焚回転速度より低速の値である。第２追焚回転速度としては、例えば、第１追焚回転速度より２０〜３０％低減した回転速度とすることができる。次に、追焚スイッチ４２がＯＮ操作されたか否かを判定し（ステップ＃０３）、追焚スイッチ４２がＯＮ操作されていない場合は（ステップ＃０３：Ｎｏ）、自動運転（キープ運転）の上記設定時間が経過したか否かを判定する（ステップ＃０４）。そして、設定時間が経過していない場合（ステップ＃０４：Ｎｏ）、ステップ＃０１に戻る。
【００３２】
上記ステップ＃０４において、設定時間が経過していた場合（ステップ＃０４：Ｙｅｓ）、ステップ＃０５に進み、入浴者が入水中であるか否かが判定される。なお、本実施形態では、入水中であるか否かの判定は、浴槽用戻り路２３に設けられた入水検出手段としての水位センサ２７の検出結果により行うように構成されている。つまり、浴槽５内に入浴者が存在する入水中である場合には、浴槽５内の湯水の水位が水位設定スイッチにて設定した目標水位よりある所定量以上上昇するので、運転制御部Ｈ１は、水位センサ２７の検出情報に基づいて、水位の上昇の有無を捉えることにより、入水中であるか非入水中であるかを判定する。そして、入水中であると判定される場合には（ステップ＃０５：Ｙｅｓ）、追焚運転を行う必要があるか否かの判定（ステップ＃０６）に進む。
一方、上記ステップ＃０５において、非入水中であると判定された場合には（ステップ＃０５：Ｎｏ）、追焚用循環ポンプ２６の回転速度を低減する必要がないと判断され、追焚用循環ポンプ２６の回転速度を、上記第２追焚回転速度より高速の第１追焚回転速度に設定する（ステップ＃１１）。なお、第１追焚回転速度としては、浴槽５内の湯水の温度を設定された目標温度まで速やかに上げることができるような回転速度が設定されている。そして、追焚運転を行う必要があるか否かの判定（ステップ＃０６）に進む。
【００３３】
上記ステップ＃０３において、追焚スイッチ４２がＯＮ操作されていた場合は（ステップ＃０３：Ｙｅｓ）、浴槽５内の湯水の温度を設定された目標温度まで速やかに上げることができるように、追焚用循環ポンプ２６の回転速度を、上記第１追焚回転速度に設定する（ステップ＃１１）。これにより、自動運転（キープ運転）状態であっても、追焚スイッチ４２のＯＮ操作によって、浴槽５内の湯水の温度を設定された目標温度まで速やかに上げることができるように、追焚用循環ポンプ２６の回転速度を、上記第１追焚回転速度に設定することができる。そして、追焚運転を行う必要があるか否かの判定（ステップ＃０６）に進む。
また、上記ステップ＃０１において自動運転（キープ運転）状態でないと判定された場合（ステップ＃０１：Ｎｏ）であって、追焚スイッチ４２がＯＮ操作された場合も（ステップ＃１０：Ｙｅｓ）、浴槽５内の湯水の温度を設定された目標温度まで速やかに上げることができるように、追焚用循環ポンプ２６の回転速度を、上記第１追焚回転速度に設定し（ステップ＃１１）、追焚運転を行う必要があるか否かの判定（ステップ＃０６）に進む。上記ステップ＃１０において追焚スイッチがＯＮ操作されていないと判定された場合は（ステップ＃１０：Ｎｏ）、処理は終了する。
【００３４】
運転制御部Ｈ１は、ステップ＃０６において、浴槽５内の湯水の温度が、浴槽温度設定スイッチ４０により設定された目標温度より低いか否かを判定する。具体的には、運転制御部Ｈ１は、追焚用循環ポンプ２６を作動させて、浴槽５内の湯水を浴槽用戻り路２３及び浴槽用往き路２４を通して一定時間（例えば、数十秒〜数分）循環させ、浴槽５内の湯水の温度を浴槽戻り温サ−ミスタ２８により検出する。そして、浴槽戻り温サ−ミスタ２８にて検出された検出温度が、浴槽温度設定スイッチ４０により設定された目標温度より低い場合には（ステップ＃０６：Ｙｅｓ）、運転制御部Ｈ１は、追焚運転を行う必要があると判定し、追焚用循環ポンプ２６を停止させずに引き続き追焚運転を開始する（ステップ＃０７）。一方、浴槽戻り温サ−ミスタ２８にて検出された検出温度が、浴槽温度設定スイッチ４０により設定された目標温度以上である場合は（ステップ＃０６：Ｎｏ）、運転制御部Ｈ１は、追焚運転を行う必要がないと判定し、追焚用循環ポンプ２６を停止させ、処理は終了する。
【００３５】
追焚運転を開始する際には（ステップ＃０７）、運転制御部Ｈ１は、追焚用循環ポンプ２６を停止させずに追焚用動作部Ｂにおける燃焼用ファン１２を駆動した後、断続弁１１を開弁してイグナイタによりバーナｇ２に点火し、浴槽往き温サ−ミスタ３１の検出温度が追焚用設定出湯温度（例えば６０℃）になるようにガス比例弁１０の開度を調節し、追焚運転を行う。そして、浴槽戻り温サーミスタ２８の検出温度が浴槽温度設定スイッチ４０による目標温度に達するまで追焚運転を行い、浴槽５内の湯水の温度が当該目標温度以上になると（ステップ＃０８：Ｎｏ）、運転制御部Ｈ１は、断続弁１１を閉弁させてバーナｇ２の燃焼を停止させ、燃焼用ファン１２及び追焚用循環ポンプ２６を停止させて追焚運転を終了する（ステップ＃０９）。
【００３６】
〔別実施形態〕
（１）上記実施形態では、水位センサ２７を入水検出手段として用い、入水中であるか否かの判定を行う構成としたが、入水検出手段を設けず、自動運転状態にある場合には、入浴者が非入水中であっても、追焚用循環ポンプ２６を第２追焚回転速度で運転させる構成とすることも可能である。
【００３７】
（２）上記実施形態では、第１追焚回転速度及び第２追焚回転速度を一定の回転速度としているが、第１追焚回転速度及び第２追焚回転速度を変更設定することもできる。例えば、浴槽５内の湯水の温度と浴槽温度設定スイッチ４０による目標温度との温度差に基づいて、その温度差が設定温度差よりも大きい場合には第１追焚回転速度及び第２追焚回転速度を高速側に変更設定し、その温度差が設定温度差よりも小さい場合には第１追焚回転速度及び第２追焚回転速度を低速側に変更設定することもできる。
【図面の簡単な説明】
【００３８】
【図１】本願に係る風呂設備の全体構成を示すブロック図
【図２】運転制御部の追焚運転時における制御動作のフローチャート
【符号の説明】
【００３９】
５      浴槽
２３    浴槽用戻り路（戻り路）
２４    浴槽用往き路（往き路）
２６    追焚用循環ポンプ（循環ポンプ）
２７    水位センサ（入水検出手段）
４２    追焚スイッチ（追焚運転スイッチ）
Ｄ      熱源機
Ｈ１    運転制御部（制御手段）
Ｊ      循環路
Ｎ１    主熱交換器（熱交換器）
Ｎ２    潜熱回収熱交換器（熱交換器）
【図１】
2010071526.tif 000003
【図２】
2010071526.tif 000004